(57)【要約】【課題】  ユーザのいる地点の状況に詳しくなくても、ハザードマップをユーザが見るだけで、その地点の状況を的確に把握することができること。【解決手段】  各子機ａ２〜ａｉ，ｂ２〜ｂｊ，ｍ２〜ｍｋが備えるセンサーが、有意な水位を検出した際に水位と時刻とからなる水位情報を親機ａ１〜ｍ１に送る。親機ａ１〜ｍ１は、水位情報を情報提供部１２に送り、水位情報はデータベース部１２ｃに記憶される。閲覧者が、携帯端末１０ａあるいはＰＣ１０ｂからハザードマップの閲覧要求を行うと、情報配信サーバー１２ａは、データベース部１２ｃから閲覧者のいる所定のエリアの現在時刻の複数の水位情報を読み出し、水位を表すアイコンを各子機が設置された座標に配置し、データベース部１２ｃから読み出した所定のエリアの地図に重ねて閲覧者に配信する。【選択図】  図１
2018049338.tif 000002
【特許請求の範囲】
【請求項１】
第１レイヤーの表示情報と、該第１レイヤーの上に重ねられる第２レイヤーの表示情報とからなるリアルタイムのハザードマップであって、
水位センサーを有し、ハザードマップを作成する所定の地点に設置された複数の水位情報送出装置は、設置された地点の座標情報を送出すると共に、前記水位センサーからの水位が有意な水位となった時に、取得された水位と、取得された時刻とを含む水位情報とを送出し、
データ処理部と情報配信部と記憶部とを備える情報提供部の記憶部には、地名や道路の情報を少なくとも含む地図情報が記憶された地図情報が記憶され、データ処理部は、該水位情報送出装置から送出された前記座標情報と、前記水位情報を受け取って前記記憶部に記憶し、
前記情報提供部に前記ハザードマップの閲覧要求があった際に、前記情報配信部において、閲覧要求された地点を含む所定のエリアの地図情報が前記記憶部から読み出されて前記第１レイヤーの表示情報として設定されると共に、前記所定のエリア内で取得された前記水位情報における前記時刻を同じにする複数の前記水位情報における水位を高さで表すアイコンが、当該水位情報が取得された前記座標情報の座標に配置された前記時刻毎の表示情報が前記第２レイヤーの表示情報として設定されて作成されることを特徴とするハザードマップ。
【請求項２】
複数の前記水位情報を読み出す前記時刻は、閲覧要求があった現在の時刻と、現在の時刻より過去の直近のいくつかの過去の時刻とされて、前記情報配信部において、複数の前記水位情報を読み出した前記時刻毎の表示情報が、時刻毎の前記第２レイヤーの表示情報として設定されることを特徴とする請求項１に記載のハザードマップ。
【請求項３】
前記記憶部には、避難所の座標情報とアンダーパスの座標情報が記憶されており、前記情報配信部においては、前記所定のエリア内の座標情報とされた避難所およびアンダーパスを表すアイコンを、当該避難所および当該アンダーパスの座標情報の座標に配置した固定表示情報が前記第２レイヤーの表示情報としてさらに設定されることを特徴とする請求項１または２に記載のハザードマップ。
【請求項４】
前記情報配信部において、前記時刻を同じにする複数の前記水位情報から前記所定のエリア内の避難所、あるいは避難所の周囲が浸水したと判断された場合は、当該浸水したと判断した避難所のアイコンが浸水したことを表す異なる表示態様のアイコンに変更されることを特徴とする請求項３に記載のハザードマップ。
【請求項５】
前記情報配信部において、前記所定のエリアの地図情報から道路の情報が取得され、取得された道路情報と前記時刻を同じにする複数の前記水位情報とに基づいて、前記所定のエリア内の道路において冠水した箇所があると判断された場合は、当該冠水した道路の箇所に対応する座標に、該道路の箇所が冠水したことを表すアイコンを配置した表示情報が前記第２レイヤーの表示情報としてさらに設定されることを特徴とする請求項１ないし４のいずれかに記載のハザードマップ。
【請求項６】
前記情報配信部において、前記閲覧要求がされた地点から前記所定のエリア内の避難所までの避難経路を、前記道路情報に基づいて演算し、演算した避難経路を表す画像情報を、前記第２レイヤーの表示情報としてさらに設定することを特徴とする請求項４記載のハザードマップ。
【請求項７】
第１レイヤーの表示情報と、該第１レイヤーの上に重ねられる第２レイヤーの表示情報とからなるリアルタイムのハザードマップを作成可能なハザードマップシステムであって、
水位センサーを有し、ハザードマップを作成する所定の地点に設置され、設置された地点の座標情報を送出すると共に、前記水位センサーからの水位が有意な水位となった時に、取得された水位と、取得された時刻とを含む水位情報とを送出する複数の水位情報送出装置と、
データ処理部と情報配信部と記憶部とを備え、記憶部に、地名や道路の情報を少なくとも含む地図情報が記憶された地図情報が少なくとも記憶され、データ処理部は、該水位情報送出装置から送出された前記座標情報と、前記水位情報を受け取って前記記憶部に記憶する情報提供部とを備え、
前記情報提供部に前記ハザードマップの閲覧要求があった際に、前記情報配信部は、閲覧要求された地点を含む所定のエリアの地図情報を前記記憶部から読み出して前記第１レイヤーの表示情報として設定すると共に、前記所定のエリア内で取得された前記水位情報における前記時刻を同じにする複数の前記水位情報における水位を高さで表すアイコンを、当該水位情報が取得された前記座標情報の座標に配置した前記時刻毎の表示情報を前記第２レイヤーの表示情報として設定し、前記第１レイヤーと前記第２レイヤーとからなるリアルタイムのハザードマップを、前記閲覧要求に応答して配信することを特徴とするハザードマップシステム。
【請求項８】
複数の前記水位情報を読み出す前記時刻は、閲覧要求があった現在の時刻と、現在の時刻より過去の直近のいくつかの過去の時刻とされて、前記情報配信部は、複数の前記水位情報を読み出した前記時刻毎の表示情報を、時刻毎の前記第２レイヤーの表示情報として設定し、前記第１レイヤーと前記第２レイヤーとからなる前記時刻毎の複数のハザードマップを、前記閲覧要求に応答して配信することを特徴とする請求項７に記載のハザードマップシステム。
【請求項９】
前記情報提供部に前記ハザードマップの閲覧要求があった際に、前記情報配信部は、
閲覧要求された地点が含まれる行政区域と、該行政区域に隣接する周囲の行政区域を含む範囲を前記所定のエリアとすることを特徴とする請求項７または８に記載のハザードマップシステム。
【請求項１０】
前記情報配信部は、所定時刻毎に前記記憶部から前記時刻を同じにする複数の前記水位情報を読み出して、前記所定のエリア内のいずれかの箇所に浸水あるいは冠水が発生したと判断した場合は、その旨を報知するメッセージを、前記所定のエリア内に位置する登録された情報端末機器に配信することを特徴とする請求項７ないし９のいずれかに記載のハザードマップシステム。
【発明の詳細な説明】
【技術分野】
【０００１】
本発明は、ハザードマップが閲覧要求された際にリアルタイムのハザードマップを提供することのできるハザードマップおよびハザードマップシステムに関する。
【背景技術】
【０００２】
川の水が堤防などの外へとあふれ出る水害の氾濫には、外水氾濫と内水氾濫の２種類があることが知られている。外水氾濫とは、河川そのものの水位が上昇して起こる水害のことであり、大量の水が速い速度で市街地へと一気に流れ込み、わずかな時間で住宅などの浸水や人的被害が発生する。この場合、流れ込んでくる水は泥水となり、洪水がおさまった後も土砂や汚泥が堆積するため、復旧に時間がかかるようになる。
また、内水氾濫とは市街地に降った雨による水害のことであり、雨水の量が都市の処理能力を超えると内水氾濫が発生する。通常なら内水は下水道の雨水管やポンプ施設によって河川へと排水されるが、施設の能力が雨量に追い付かなかったり、外水の水位が上昇して排水できなかったりすると、内水の水はけが悪くなって建物や土地、道路などが水につかってしまう。とくに、最近はゲリラ豪雨のような局地的な豪雨が頻発し、内水氾濫による被害が増えている。
近年、集中豪雨の多発や都市化の進展に伴い、短時間に大量の雨水が流出し内水氾濫の被害リスクが増大している。
【０００３】
そこで、防災情報として、国土交通省ハザードマップポータルサイト（http://disaportal.gsi.go.jp/index.html ）に重ねるハザードマップが公開されている。水害のハザードマップとは、水害発生の予測地域に関して、範囲及び深さを表示した情報地図である。重ねるハザードマップでは、地図や空中写真に、浸水想定区域や道路情報、危険箇所などを重ねて閲覧することが可能とされ、県や市区町村の境界を超えたシームレスなマップを表示可能である。ただし、このハザードマップは予測データでありリアルタイムのハザードマップとはされていない。また、地域ごとの避難情報が集約された、その地域のハザードマップ（わがまちハザードマップ）も知られているが、わがまちハザードマップは市区町村を単位として作成されており、リアルタイムのハザードマップとはされていない。
【０００４】
そこで、時々刻々と変化する実際の洪水・氾濫に対応する洪水ハザードマップを提供することができる特許文献１記載の従来のリアルタイム動的氾濫シミュレーションシステムが提案されている。
この従来のリアルタイム動的氾濫シミュレーションシステムでは、河川情報データベースと、氾濫原データベースと、流出解析手段と、河道水位予測手段と、破堤点流入量計算手段と、氾濫解析手段と、フィードバック補正手段と、シミュレーション表示手段と、地図情報、住所・ランドマーク情報、雨に関する河川情報及び洪水ハザードマップ関連情報を配信サーバより自動的に発信させるデータ配信手段とを組み合わせて、インターネット、パソコン通信、ネットワークが利用できるプラットフォームから自動的に配信するようにしている。
【０００５】
具体的には、河道データ、水文データ、気象データ等の河川情報に関するデータベースと、氾濫原に関するデータを取得する氾濫原データベースと、過去の災害履歴や類似災害を検索できるデータベースと、河川に流入する流量を予測する流出解析手段と、河川の基準地点や任意地点の水位を予測する河道水位予測手段と、破堤点の流入量を計算する破堤点流入量計算手段と、雨量データやテレメータなどの観測データや水位予測データを用いて任意の破堤点の氾濫解析をリアルタイムに行う氾濫解析手段と、氾濫解析と同時に内水氾濫の解析を行う内水氾濫解析手段と、浸水深、浸水範囲、破堤幅等の観測データを氾濫解析の初期値にフィードバックして正確なる氾濫解析結果に補正するフィードバック補正手段と、地下空間に流入する氾濫水量及び地下空間の主要部に設置した浸水センサの観測値から地下空間の浸水位・浸水範囲等を解析・表示する手段と、氾濫流を動的に表示するシミュレーション表示手段とを備え、シミュレーション表示手段が、氾濫予測結果のデータを基に現実の状況・場面を想定して避難所までの安全でかつ最短のルートを表示せしめる避難行動シミュレーション機能を備え、さらに浸水位、浸水範囲、避難情報等とネットワークを介して必要な箇所に画像信号として情報配信や警報を発報する避難行動支援画像伝達機能を有するようにしている。
【０００６】
氾濫解析手段と同時に内水氾濫の解析を行う内水氾濫解析機能を有することによって、外水氾濫はもちろん、外水氾濫に至る前の内水氾濫も解析できるため、当該河川流域の氾濫予測・被害想定を精密に行うことや適切な避難誘導指示が可能になるといった効果を奏する。尚、内水地域においては、破堤する前からそれまでの降雨量により浸水している可能性があるが、現状の浸水想定区域図ではこのような内水現象は充分に考慮されていないこと、内水氾濫も住民の避難行動などに影響を与えることに鑑み、動的洪水ハザードマップでこのような氾濫解析手段を付加している。
また、氾濫解析手段が、河道及び氾濫源に関するデータを河川情報データベース及び氾濫原データベースを用いてリアルタイムな氾濫予測を行うこと、および、破堤が起きる以前において内水による浸水区域を予測する浸水想定区域計算機能を有することによって、氾濫解析のシミュレーションを行える。
【先行技術文献】
【特許文献】
【０００７】
【特許文献１】特開２００４−１９７５５４号公報
【発明の概要】
【発明が解決しようとする課題】
【０００８】
従来のリアルタイム動的氾濫シミュレーションシステムでは、シミュレーションした結果を表示しており、リアルタイムな情報を表示するものではなく、ハザードマップを見たユーザが危険が迫っていることを把握することが難しかった。ここで、従来のハザードマップの一例を図１９に示して説明する。
図１９に示すハザードマップ１００は、所定のエリアであるエリアＡのハザードマップであり、ブロックＡ−５に避難所１０２が表示され、ブロックＡ−６には避難所１０３が表示されている。そして、ブロックＡ−５を中心として隣接するブロックＡ−４，Ａ−２，Ａ−６，Ａ−７，Ａ−８，Ａ−９にかけて冠水が発生していることを示す冠水発生エリア１０１が表示されている。このハザードマップでは、冠水発生エリア１０１は、リアルタイムな情報とはされておらず、また、洪水注意報・警報が発せられても、地点Ａ，Ｂ，Ｃ，Ｄにいる人が避難に適している避難所がどこか判断が難しく、適している避難所を判断しても避難する適切な避難経路が分からない。このように、ハザードマップを見てもユーザが、自身のいる地点の状況に詳しくないと、その地点が冠水しやすい地点なのか、避難所がどこにあるのかや避難所への道路の状況などの情報を的確に把握しにくいと云う問題点があった。
【０００９】
また、他の従来のハザードマップを図２０に示す。このハザードマップはエリアＢのハザードマップとされ、エリアＢにはＲ市、Ｐ市とＱ市との３つの市が含まれている。Ｒ市に避難所Ｒ−Ｂが表示され、Ｐ市には避難所Ｓが表示され、Ｑ市には避難所Ｕが表示されている。また、Ｒ市に５ｍ浸水エリア、２ｍ浸水エリアが生じていること、避難所Ｒ−Ｂを含むエリアに冠水発生エリアが生じていることが表示され、Ｑ市に２ｍ浸水エリアが生じていることおよび中央のエリアに冠水発生エリアが生じていることが表示されている。この場合、Ｐ市ではハザードマップを作成する手段を有しておらず、Ｐ市のハザードマップは表示されていない。このハザードマップにおいても、上記したと同様の問題点があった。
【００１０】
そこで、本発明は、ユーザのいる地点の状況に詳しくなくても、ハザードマップをユーザが見るだけで、その地点の状況を的確に把握することができるハザードマップおよびハザードマップシステムを提供することを目的としている。
【課題を解決するための手段】
【００１１】
本発明のハザードマップは、第１レイヤーの表示情報と、該第１レイヤーの上に重ねられる第２レイヤーの表示情報とからなるリアルタイムのハザードマップであって、水位センサーを有し、ハザードマップを作成する所定の地点に設置された複数の水位情報送出装置は、設置された地点の座標情報を送出すると共に、前記水位センサーからの水位が有意な水位となった時に、取得された水位と、取得された時刻とを含む水位情報とを送出し、データ処理部と情報配信部と記憶部とを備える情報提供部の記憶部には、地名や道路の情報を少なくとも含む地図情報が記憶された地図情報が記憶され、データ処理部は、該水位情報送出装置から送出された前記座標情報と、前記水位情報を受け取って前記記憶部に記憶し、前記情報提供部に前記ハザードマップの閲覧要求があった際に、前記情報配信部において、閲覧要求された地点を含む所定のエリアの地図情報が前記記憶部から読み出されて前記第１レイヤーの表示情報として設定されると共に、前記所定のエリア内で取得された前記水位情報における前記時刻を同じにする複数の前記水位情報における水位を高さで表すアイコンが、当該水位情報が取得された前記座標情報の座標に配置された前記時刻毎の表示情報が前記第２レイヤーの表示情報として設定されて作成されることを最も主要な特徴としている。
【００１２】
また、本発明のハザードマップシステムは、第１レイヤーの表示情報と、該第１レイヤーの上に重ねられる第２レイヤーの表示情報とからなるリアルタイムのハザードマップを作成可能なハザードマップシステムであって、水位センサーを有し、ハザードマップを作成する所定の地点に設置され、設置された地点の座標情報を送出すると共に、前記水位センサーからの水位が有意な水位となった時に、取得された水位と、取得された時刻とを含む水位情報とを送出する複数の水位情報送出装置と、データ処理部と情報配信部と記憶部とを備え、記憶部に、地名や道路の情報を少なくとも含む地図情報が記憶された地図情報が少なくとも記憶され、データ処理部は、該水位情報送出装置から送出された前記座標情報と、前記水位情報を受け取って前記記憶部に記憶する情報提供部とを備え、前記情報提供部に前記ハザードマップの閲覧要求があった際に、前記情報配信部は、閲覧要求された地点を含む所定のエリアの地図情報を前記記憶部から読み出して前記第１レイヤーの表示情報として設定すると共に、前記所定のエリア内で取得された前記水位情報における前記時刻を同じにする複数の前記水位情報における水位を高さで表すアイコンを、当該水位情報が取得された前記座標情報の座標に配置した前記時刻毎の表示情報を前記第２レイヤーの表示情報として設定し、前記第１レイヤーと前記第２レイヤーとからなるリアルタイムのハザードマップを、前記閲覧要求に応答して配信することを最も主要な特徴としている。
【発明の効果】
【００１３】
本発明のハザードマップおよびハザードマップシステムは、現在地点の変動する水位情報をリアルタイムでユーザが把握することができ、危険時には切迫性が伝わり避難行動に直結するようになる。また、ユーザが現在いる地点は、避難する必要があるかを的確に判断することができる。さらに、冠水して避難をする際には、ユーザがいる地点から見て避難するに適している避難所およびその避難所までどのようにしていけばよいかを的確に把握することができる。
【図面の簡単な説明】
【００１４】
【図１】本発明の第１実施例にかかるハザードマップシステムの構成を示す機能ブロック図である。
【図２】本発明の第１実施例のハザードマップシステムにかかるハザードマップを、時刻の経過と共に示す図である。
【図３】本発明の第１実施例のハザードマップシステムにかかるハザードマップの冠水発生前と冠水発生後の表示態様を示す図である。
【図４】本発明の第１実施例のハザードマップシステムにかかるハザードマップの他の例において冠水発生前の表示態様を示す図である。
【図５】本発明の第１実施例のハザードマップシステムにかかるハザードマップの他の例において冠水発生後の表示態様を示す図である。
【図６】本発明の第１実施例のハザードマップシステムにおける子機の構成を示す機能ブロック図である。
【図７】本発明の第１実施例のハザードマップシステムにおける親機の構成を示す機能ブロック図である。
【図８】本発明の第１実施例のハザードマップシステムにおけるマイクロコントローラの構成を示す機能ブロック図である。
【図９】本発明の実施例のハザードマップシステムにおける情報提供部の構成、情報配信サーバー、データ処理サーバー、データベース部の構成を示す機能ブロック図である。
【図１０】本発明の第１実施例のハザードマップシステムにおける子機で実行される子機処理のフローチャートである。
【図１１】本発明の第１実施例のハザードマップシステムにおける親機で実行される親機処理のフローチャートである。
【図１２】本発明の第１実施例のハザードマップシステムにおける情報提供部で実行されるＤＢ書込処理のフローチャートである。
【図１３】本発明の第１実施例のハザードマップシステムにおける情報提供部で実行されるメッセージ配信処理（その１）のフローチャートである。
【図１４】本発明の第１実施例のハザードマップシステムにおける情報提供部で実行されるメッセージ配信処理（その２）のフローチャートである。
【図１５】本発明の第１実施例のハザードマップシステムにおける情報提供部で実行される閲覧要求処理のフローチャートである。
【図１６】本発明の第１実施例のハザードマップシステムにおける情報提供部で実行されるハザードマップ作成処理のフローチャートである。
【図１７】本発明の第２実施例のハザードマップシステムにおける情報提供部の構成を示す機能ブロック図である。
【図１８】本発明の第２実施例のハザードマップシステムにかかるハザードマップを示す図である。
【図１９】従来のハザードマップを示す図である。
【図２０】従来の他のハザードマップを示す図である。
【発明を実施するための形態】
【００１５】
本発明の第１実施例のハザードマップシステム１の構成を図１に示す。この第１実施例のハザードマップシステム１では、閲覧要求があった際に、閲覧要求された地点を含む所定のエリアのハザードマップを閲覧者に提供することができる。
図１に示す第１実施例のハザードマップシステム１は、端末群１０と情報提供部１２と複数の閉域通信網１４ａ，１４ｂ，・・・，１４ｍとを備えており、各部の間は通信網で接続されている。すなわち、情報提供部１２と端末群１０とは不特定多数の利用者によって共有して利用される拠点間を結ぶ公衆通信網やインターネット通信網からなるなる通信網１１で接続され、閉域通信網１４ａ〜１４ｍと情報提供部１２とは、インターネット通信網や公衆通信網からなる広域通信網１３で接続される。
閉域通信網１４ａ〜１４ｍは、ハザードマップシステム１が作成しようとするハザードマップの地域をｍ分割して、ｍ分割した地域毎に設置されている。すなわち、作成しようとするハザードマップの全地域をカバーする閉域通信網１４ａ〜１４ｍが設置される。閉域通信網は、専用の通信回線を利用する通信網であり、データを途中で傍受されたり改ざんされるおそれを防止できる通信網である。
【００１６】
第１の閉域通信網１４ａは親機ａ１を備えており、複数台の子機ａ２，ａ３，・・・，ａｉが第１の閉域通信網１４ａに属している。親機ａ１は、閉域通信網１４ａに割り当てられた地域内のそれぞれ所定の地点に設置された（ｉ−１）台の子機ａ２〜ａｉと、有線あるいは無線の閉域通信で接続されている。子機ａ２〜ａｉは同じ構成とされ、設置された地点の水位を検出する水位センサーをそれぞれが備えている。子機ａ２〜ａｉが所定の地点にそれぞれ設置され、初めて電源が投入された際に、子機ａ２〜ａｉのそれぞれは一意の個体識別番号である子機ＩＤと設置された地点の位置情報とを親機ａ１に送信して、相互の間の通信を確立する。そして、子機ａ２〜ａｉは、備えられた水位センサーが規定水位を超えた有意な水位を検出した時に、水位センサーが検出した水位のセンサー情報と、当該子機が水位を取得した時刻情報とを含む水位情報に子機ＩＤを付加して親機ａ１へ送出する。子機ａ２〜ａｉが、有意な水位を検出した以後においては、所定時刻毎にＩＤ付きの水位情報が親機ａ１へ送出される。
【００１７】
第２の閉域通信網１４ｂ〜第ｍの閉域通信網１４ｍは、第１の閉域通信網１４ａと同様に動作する。すなわち、第２の閉域通信網１４ｂ〜第ｍの閉域通信網１４ｍは親機ｂ１〜ｍ１をそれぞれ備えており、複数台の子機ｂ２，ｂ３，・・・，ｂｊ〜子機ｍ２〜ｍｋが第２の閉域通信網１４ｂ〜第ｍの閉域通信網１４ｍにそれぞれ属している。親機ｂ１〜ｍ１は、第２の閉域通信網１４ｂ〜第ｍの閉域通信網１４ｍのそれぞれに割り当てられた地域内のそれぞれ所定の地点に設置された（ｊ−１）台の子機ｂ２〜ｂｉないし（ｋ−１）台の子機ｍ２〜ｍｋと、有線あるいは無線の閉域通信で接続されている。子機ｂ２〜ｂｊないし子機ｍ２〜ｍｋは子機ａ２〜ａｉと同じ構成とされ、設置された地点の水位を検出する水位センサーをそれぞれが備えている。子機ｂ２〜ｂｉないし子機ｍ２〜ｍｋが所定の地点にそれぞれ設置され、初めて電源が投入された際に、子機ｂ２〜ｂｊないし子機ｍ２〜ｍｋのそれぞれは一意の個体識別番号である子機ＩＤと設置された地点の位置情報とをそれぞれの親機ｂ１〜ｍ１に送信して、相互の間の通信を確立する。そして、子機ｂ２〜ｂｊないし子機ｍ２〜ｍｋは、備えられた水位センサーが規定水位を超えた有意な水位を検出した時に、水位センサーが検出した水位のセンサー情報と、当該子機が水位を取得した時刻情報とを含む水位情報に子機ＩＤを付加してそれぞれの親機ｂ１〜ｍ１へ送出する。子機ｂ２〜ｂｊないし子機ｍ２〜ｍｋが、有意な水位を検出した以後においては、所定時刻毎にＩＤ付きの水位情報が親機ｂ１〜ｍ１へ送出される。
【００１８】
ここで、子機ａ２〜ａｉ、子機ｂ２〜ｂｉないし子機ｍ２〜ｍｋの構成を説明するが、全ての子機は同じ構成とされていることから子機２０として、図６に子機２０の機能ブロック図を示す。
図６に示すように子機２０は、マイクロコントローラ２１、センサー２２、位置測位装置２３、警告表示器２４、閉域通信網通信Ｉ／Ｆ２５とを備え、これらをバスにより接続している。また、各部へ電源を供給する電源装置２６を備えている。マイクロコントローラ２１は、子機２０の動作を統括制御する制御手段であり、時計機能を有している。具体的には、マイクロコントローラ２１は、センサー２２で検出した水位のセンサー情報を取得すると共に、取得した時刻情報を取り込んで、時刻情報を付したセンサー情報を内部のテンポラリメモリに書き込む。また、子機２０が設置された地点の位置情報をテンポラリメモリに書き込む。この場合、子機２０の位置情報は、子機２０における位置測位装置２３がＧＰＳ等を使用して測位し、センサー情報から取得した位置情報、あるいは、直接入力した子機２０の位置情報とされる。また、図示しないスイッチがオンされて電源装置２６から電源が投入された際には、子機２０を初期化する。そして、位置情報の取得が終了した際に、テンポラリメモリに書き込まれている当該子機２０の位置情報に、当該子機２０に割り当てられている一意の子機ＩＤを付加して、閉域通信網通信Ｉ／Ｆ２５から親機ａ１へ送信する。また、マイクロコントローラ２１が、センサー２２から取得した水位が規定水位を超えたと判断した場合は、マイクロコントローラ２１は、そのセンサー情報と取得した時刻情報からなる水位情報に子機ＩＤを付加して閉域通信網通信Ｉ／Ｆ２５を介して所定時間毎に親機ａ１へ送信すると共に、規定水位を超えたことを報知する警告表示器２４を点灯させる。これにより、子機２０を観察することで、当該子機の地点の水位が規定水位を超えたことが分かるようになる。警告表示器２４は、発光ダイオード（ＬＥＤ）などの発光デバイスによって構成できる。なお、電源装置２６は大容量キャパシタあるいは２次電池と、充電用の太陽光パネルとから構成することができる。
なお、第１の閉域通信網１４ａ〜第ｍの閉域通信網１４ｍにおける子機ａ２〜ａｉ、子機ｂ２〜ｂｊ、子機ｍ２〜ｍｋは、各閉域通信網に割り当てられた区域内の地点に設置されているが、過去の水害情報や海抜高度を考慮して、冠水が発生しやすい地点に重点的に設置するのが好ましい。
【００１９】
マイクロコントローラ２１の構成について説明すると、図８にマイクロコントローラ２１の構成を示す機能ブロック図を示す。図８に示すようにマイクロコントローラ２１は、ＣＰＵ（Central Processing Unit）４１、ＲＯＭ（Read Only Memory）４２、ＲＡＭ（Random Access Memory）４３、Ｉ／Ｏ４４を備え、これらをバス４５で接続して構成されている。ＣＰＵ４１は、ＲＯＭ４２に記憶された制御プログラムを実行することにより、マイクロコントローラ２１が上記したように動作する。この場合、テンポラリメモリはＲＡＭ４３の領域に設定される。また、電源投入時には、ＣＰＵ４１がＲＯＭ４２に格納されている初期設定プログラムを実行し、マイクロコントローラ２１が上記したように動作する。マイクロコントローラ２１は、Ｉ／Ｏ４４を介して子機２０のバスに接続されている。
【００２０】
次に、親機ａ１〜ｍ１の構成を説明するが、同じ構成とされていることから親機３０として図７に親機３０の機能ブロック図を示す。
図７に示すように親機３０は、マイクロコントローラ３１、広域通信網通信Ｉ／Ｆ３２、閉域通信網通信Ｉ／Ｆ３３とを備え、これらをバスにより接続している。また、各部へ電源を供給する電源装置３４を備えている。マイクロコントローラ３１は、前述した図８に示す構成と同様とされ、ＣＰＵ４１、ＲＯＭ４２、ＲＡＭ４３、Ｉ／Ｏ４４を備え、これらをバス４５で接続して構成されているが、ＲＯＭ４２には親機３０用の制御プログラムが記憶されている。マイクロコントローラ３１では、ＲＯＭ４２に記憶されている親機３０用の制御プログラムをＣＰＵ４１が実行することにより、親機３０の動作を統括制御している。すなわち、マイクロコントローラ３１におけるＣＰＵ４１は、閉域通信網通信Ｉ／Ｆ３３を介して子機２０から送信された子機ＩＤ付きの位置情報、子機ＩＤ付きの水位情報を受信してＲＡＭ４３の領域に設定したテンポラリメモリに書き込む。そして、ＣＰＵ４１は、子機２０から受信した子機ＩＤ付きの位置情報および子機ＩＤ付きの水位情報を、広域通信網通信Ｉ／Ｆ３２を介して情報提供部１２へ送信する。なお、電源装置３４は、商用電源を所定電圧の直流電圧に降圧する電源装置とされている。また、電源装置３４は、商用電源に替えて使用電力容量に合わせた大容量キャパシタあるいは２次電池と、充電用の太陽光パネルとから構成するようにしてもよい。
【００２１】
上述したように、第１の閉域通信網１４ａ〜第ｍの閉域通信網１４ｍにおいて、親機ａ１〜親機ｍ１がその閉域通信網に属する子機から送出された子機ＩＤ付きの設置された地点の位置情報、子機ＩＤ付きの水位情報（センサー情報＋時刻情報）を受信すると、親機ａ１〜親機ｍ１のそれぞれは、インターネット通信網や公衆通信網からなる広域通信網１３を介して情報提供部１２に、受信した子機ＩＤ付きの設置された地点の位置情報および子機ＩＤ付きの水位情報を送る。情報提供部１２は、情報配信サーバー１２ａとデータ処理サーバー１２ｂとデータベース部１２ｃとを備えており、情報提供部１２の構成を図９（ａ）に示す。
図９（ａ）に示す構成の情報提供部１２では、親機ａ１〜親機ｍ１から広域通信網１３を介して送られてきたデータが広域通信網通信Ｉ／Ｆ１２ｄを介して受信されて、データ処理サーバー１２ｂに渡される。データ処理サーバー１２ｂは、受信したデータが子機ＩＤ付きの位置情報であった場合は、その位置情報を子機ＩＤと関連付けてデータベース部１２ｃのセンサー座標ＤＢ（ＤＢ：データベース）５１に書き込む。この位置情報は、地図上の座標を示している。また、子機ＩＤ付きの水位情報（センサー情報＋時刻情報）の場合は、現在時刻と共に子機ＩＤ付きの水位情報（センサー情報＋時刻情報）を子機ＩＤおよび取得時刻と関連付けてデータベース部１２ｃのセンサー情報ＤＢ５２に書き込む。これにより、親機ａ１〜親機ｍ１から送出された子機ａ２〜ａｉ、子機ｂ２〜ｂｊ、子機ｍ２〜ｍｋで検出された水位情報（センサー情報＋時刻情報）が、子機ＩＤと関連付けられてセンサー情報ＤＢ５２に時々刻々と書き込まれていくようになる。
【００２２】
データベース部１２ｃは、各子機２０の位置情報を子機ＩＤと関連付けて記憶するセンサー座標ＤＢ、水位情報を子機ＩＤおよび取得時刻と関連付けて記憶するセンサー情報ＤＢ５２と、避難所やアンダーパスの座標、海抜が低い区域などの座標が記憶されている避難情報ＤＢ５３、例えば日本全国とされるハザードマップを作成する広域の地形・道路・河川の他、座標データを地図情報として保有している地図情報ＤＢ５４、浸水の危険があることを報知する地域毎の登録者の情報が記憶されている登録者情報ＤＢ５５を備えている。
情報配信サーバー１２ａ内に設けられているデータ処理装置５０は、閲覧要求を情報配信サーバー１２ａが受け付けた際に、閲覧要求された地点を含む所定のエリアのリアルタイムの本発明にかかるハザードマップを作成する。このハザードマップは、例えば第１レイヤーの表示情報と、第１にレイヤーに重ねられる第２レイヤーの表示情報とから構成される。第１レイヤーの表示情報として、所定のエリアの地図情報が地図情報ＤＢ５４から読み出されて設定され、第２レイヤーの表示情報として、少なくとも、子機ａ２〜ａｉ、子機ｂ２〜ｂｊ、子機ｍ２〜ｍｋで検出された水位情報の水位を示すアイコンが、水位情報を取得した地点の座標に配置されている表示情報が設定される。この第２レイヤーの表示情報に、避難所やアンダーパスの地点の座標に配置されている避難所やアンダーパスのアイコン、冠水した地点の座標に配置されている冠水したことを示すアイコンを含ませることができる。
以下の説明においては、子機ａ２〜ａｉ、子機ｂ２〜ｂｊ、子機ｍ２〜ｍｋを総称して示すとき、あるいは、いずれかを示すときには子機２０として説明するものとする。また、同様に、親機ａ１〜親機ｍ１を総称して示すとき、あるいは、いずれかを示すときには親機３０として説明するものとする。
【００２３】
具体的には、データ処理装置５０は、ハザードマップの閲覧要求された地点を含む所定エリアの地図を地図情報ＤＢ５４から読み出して、第１レイヤーの表示情報として設定する。地図ＤＢ５４には、地形・道路・河川の他、座標データを地図情報として保有している。また、データ処理装置５０は、センサー情報ＤＢ５２に格納されている水位情報の子機ＩＤに関連する子機２０の位置情報、すなわち子機２０の座標位置をセンサー座標ＤＢ５１を参照して読み出し、第１レイヤーに設定された地図上における子機２０が設置された地点であって、その位置に対応する第２レイヤー上の表示位置（座標位置）を決定する。そして、データ処理装置５０は、センサー情報ＤＢ５２に格納されている取得された時刻が同時刻の水位情報を順次読み出して、水位情報におけるセンサー情報で示される水位を高さで表すアイコンを、当該水位情報に関連付けられている子機ＩＤに対応する子機２０の設置位置の座標に配置して、第２レイヤーの表示情報として設定する。この場合、センサー情報ＤＢ５２にはリアルタイムで水位情報が書き込まれており、取得時刻が同時刻の水位情報のアイコンが、その水位情報を検出した子機２０の設置された地点の座標に表示されるようになる。この場合、センサー情報ＤＢ５２から読み出される同時刻の水位情報の時刻は、閲覧要求された現在の時刻と、その時刻より過去の直近のいくつかの過去の時刻とされる。そして、過去の時刻から現在の時刻までの時刻毎のハザードマップが作成される。現在の時刻のハザードマップでは、地図上にその時刻の水位情報を示すアイコンがリアルタイムで表示されるようになる。なお、閲覧請求された時刻が水位情報の取得時刻に一致しない場合は、それより前の直近の時刻が現在の時刻とされる。
【００２４】
また、データ処理装置５０は、現在の時刻に対応する水位情報を読み出して、水位情報のセンサー情報と関連付けされた子機ＩＤの位置情報から、浸水危険領域を算出する。そして、登録者情報ＤＢ５５から、算出された浸水危険領域内に位置登録されている登録者情報を検索し、検索された対象とする登録者に対応する端末群１０の携帯電話１０ａあるいはＰＣ１０ｂに対し、浸水の危険が迫っていることのメッセージを電子メール等で報知する。この場合、登録者にショートメッセージサービス（ＳＭＳ）で送ることができる場合は、ＳＭＳを用いて浸水危険が迫っていることを報知する。報知を受けた登録者が、自身の携帯電話１０ａあるいはＰＣ１０ｂから情報提供部１２にハザードマップの閲覧要求を行うと、その登録者に登録されている携帯電話１０ａあるいはＰＣ１０ｂに、上記したようにデータ処理装置５０で作成された閲覧要求した登録者のいる地点、あるいは登録者が指定した地点を含む所定のエリアのハザードマップが、情報配信サーバー１２ａから配信される。登録者の携帯電話１０ａあるいはＰＣ１０ｂのディスプレイには、配信されたハザードマップが表示されて閲覧できる。すなわち、登録者が閲覧者となる。なお、携帯電話１０ａあるいはＰＣ１０ｂはＧＰＳ等を利用して現在の位置情報を検出し、閲覧要求に位置情報を付加して送出することができる。
また、データ処理装置５０は、閲覧要求された現在の時刻のリアルタイムのハザードマップを含む、直近の過去から現在の時刻までのいくつかのハザードマップが作成されており、閲覧者は、閲覧者がいる位置情報あるいは閲覧者が指定した位置情報に応じたエリアの時々刻々と推移するリアルタイムのハザードマップを閲覧できる。
【００２５】
なお、登録者に浸水の危険が迫っていることを電子メール等で報知する場合に、登録者は“定めた地点（自宅等）において浸水した場合は、指定した携帯電話１０ａあるいはＰＣ１０ｂに電子メール送信をする”という内容を、登録者情報ＤＢ５５に登録しておけばよい。上記内容は、携帯電話１０ａあるいはＰＣ１０ｂが、情報配信サーバー１２ａを介して登録者情報ＤＢ５５に登録することができる。また、情報配信サーバー１２ａのデータ処理装置５０で算出した浸水危険領域に対応するエリアに存在する登録者の携帯電話１０ａに対して、浸水の危険が迫っていることを電子メール等で報知してもよい。この場合には、当該エリアをカバーする携帯電話基地局に在圏している携帯電話に同報配信を行えばよく、登録者情報ＤＢ５５は使用しない。
【００２６】
情報配信サーバー１２ａの構成を図９（ｂ）に示す。図９（ｂ）に示す情報配信サーバー１２ａは、ＣＰＵ６１、ＲＯＭ６２、ＲＡＭ６３、Ｉ／Ｏ６４、データ処理装置５０を備え、これらをバス６５で接続して構成されている。ＣＰＵ６１は、情報配信サーバー１２ａの動作を統括制御する制御手段であり、ＲＯＭ６２に記憶された制御プログラムをＣＰＵ６１が実行することにより、登録者に浸水の危険が迫っていることを電子メール等で報知したり、閲覧要求があった際に、データ処理装置５０に閲覧者がいる位置情報あるいは閲覧者が指定した位置情報に対応するエリアのハザードマップを作成させて配信したりする上記した動作が行われる。
【００２７】
また、データ処理サーバー１２ｂおよびデータ処理装置５０は図９（ｃ）に示す構成とすることができる。図９（ｃ）に示すデータ処理装置５０（データ処理サーバー１２ｂ）は、ＣＰＵ７１、ＲＯＭ７２、ＲＡＭ７３、Ｉ／Ｏ７４を備え、これらをバス７５で接続して構成されている。データ処理装置５０の場合は、ＲＯＭ７２にデータ処理装置５０の動作を統括制御する制御プログラムが記憶されており、この制御プログラムをＣＰＵ７１が実行することにより、閲覧要求があった際に、閲覧者がいる位置情報あるいは閲者が指定した位置情報に対応するエリアのハザードマップを作成する。また、データ処理サーバー１２ｂの場合は、ＲＯＭ７２にデータ処理サーバー１２ｂの動作を統括制御する制御プログラムが記憶されており、この制御プログラムをＣＰＵ７１が実行することにより、子機２０の位置情報を子機ＩＤと関連付けてセンサー座標ＤＢ５１に書き込むと共に、子機２０で検出された水位情報（センサー情報＋時刻情報）が、子機ＩＤと関連付けられてセンサー情報ＤＢ５２に時々刻々と書き込まれていくようになる。
【００２８】
閲覧者が閲覧する本発明にかかるハザードマップの一例を図２（ａ）（ｂ）（ｃ）（ｄ）に示す。ハザードマップは、上述した第１レイヤーおよび第２レイヤーの表示情報からなり、閲覧者の携帯電話１０ａあるいはＰＣ１０ｂのブラウザで第１レイヤーに第２レイヤーが重ねられて表示されるが、図２（ａ）〜（ｄ）では第１レイヤーの地図を省略して示している。また、図２（ａ）〜（ｄ）に示すハザードマップが示されるエリアは、Ｄ地点に閲覧者が位置するエリアＡとされており、時刻が１０：００→１０：０１→１０：０２→１０：０３と推移していった時の地点Ａ，Ｂ，Ｃとその周囲の水位をアイコンで示している。この場合、現在の時刻が１０：０３であり、直近の過去の時刻である１０：００から現在の時刻１０：０３までの時刻毎のハザードマップが図２（ａ）〜（ｄ）に示されている。水位を示すアイコンは第２レイヤーの表示情報とされており、形状が円筒状とされて、円筒状のアイコンの高さで水位を示している。最も低いアイコンは５０ｍｍ未満の水位を示し、これより若干高いアイコンは５０ｍｍ以上１００ｍｍ未満を示し、さらに若干高いアイコンは１００ｍｍ以上２００ｍｍ未満を示し、一番高いアイコンは２００ｍｍ以上４００ｍｍ未満の水位を示している。
図２（ａ）〜（ｄ）に示すエリアＡのハザードマップでは、紙面の上方が北を示しており、このハザードマップを参照すると図２（ａ）の時刻１０：００では、地点Ａの水位が５０ｍｍ未満と表示され、地点Ｂ，Ｃの水位は無しと表示されている。時刻が１０：０１に進むと図２（ｂ）のように、地点Ａの水位が５０ｍｍ以上１００ｍｍ未満に増加し、地点Ｂの水位が５０ｍｍ未満に増加していることが表示されている。また、時刻が１０：０２に進むと図２（ｃ）のように、地点Ａの水位が１００ｍｍ以上２００ｍｍ未満に増加し、地点Ｂの水位が５０ｍｍ以上１００ｍｍ未満に増加し、地点Ｃの水位が５０ｍｍ以上１００ｍｍ未満に増加していることが表示されている。さらに、時刻が１０：０３に進むと図２（ｄ）のように地点Ａの水位が２００ｍｍ以上４００ｍｍ未満に増加し、地点Ｂの水位が２００ｍｍ以上４００ｍｍ未満に増加し、地点Ｃの水位が２００ｍｍ以上４００ｍｍ未満に増加していることが表示されている。なお、水位を示すアイコンはエリアＡ内に設置された子機２０であって、有意な水位を検出した子機２０が設置された地点の座標位置に、検出した水位を表すアイコンが表示されている。
【００２９】
図２（ａ）〜（ｄ）のエリアＡのハザードマップは、データ処理装置５０がセンサー座標ＤＢ５１およびセンサー情報ＤＢ５２の格納情報から、対象となるエリアの座標と同時刻に取得された水位情報から作成した時々刻々と変動する直近の過去の時刻から現在の時刻までのリアルタイムのハザードマップであり、省略して示している第１レイヤーの地図表示と重ねあわせて、時刻が経過していくに従い変動する水位の表示が行われるハザードマップとされている。このため、ハザードマップの閲覧者は時間の推移に伴う水位の変化を観察する事で、特に警告表示・警報等が無くても自ら判断して浸水の危険が迫っていることを理解することができる。
【００３０】
次に、閲覧者が閲覧する本発明にかかるハザードマップの他の例を図３（ａ）（ｂ）に示す。図３（ａ）（ｂ）に示すハザードマップに示されるエリアは、Ｄ地点に閲覧者が位置するエリアＡとされており、図３（ａ）は浸水発生前の過去の時刻のハザードマップの表示態様であり、図３（ｂ）は浸水発生後の現在の時刻のハザードマップの表示態様である。なお、図３（ａ）（ｂ）において水位を示すアイコンは、図２（ａ）〜（ｄ）に示すアイコンと同様とされている。
図３（ａ）に示すエリアＡの浸水発生前の過去の時刻のハザードマップでは、紙面の上方が北を示しており、時刻９：５９のハザードマップとされている。第１レイヤーの表示情報である地図においては、エリアＡはブロックＡ−１，Ａ−２，・・・，Ａ−９に分割されており、各ブロック間は道路とされている。また、データ処理装置５０は、エリアＡの座標情報からエリアＡ内にある避難所の座標情報を避難情報ＤＢ５３から読み出して、避難所の座標情報に応じた地点に避難所を表すアイコンを第２レイヤーの表示情報として設定している。図３（ａ）に示す例ではブロックＡ−５に避難所Ａのアイコンが、ブロックＡ−６に避難所Ｂのアイコンが表示されている。図３（ａ）に示すハザードマップでは、エリアＡ内の地点に設置されている子機２０のいずれも有意な水位を検出しておらず、地点Ａの水位は無しとなっている。
【００３１】
図３（ｂ）に示すハザードマップは、時刻が１０：０３の現在の時刻のハザードマップとされている。時刻１０：０３ではエリアＡ内の地点に設置されている子機２０の複数が有意な水位を検出している。地点Ａの水位は２００ｍｍ以上４００ｍｍ未満となっており、水位が大きく上昇している。また、地点Ａの近傍のブロックＡ−６内およびその周辺の水位は１００ｍｍ以上２００ｍｍ未満あるいは２００ｍｍ以上４００ｍｍ未満と上昇している。また、隣接するブロックＡ−５における水位は５０ｍｍ未満となっている。このように、時間が推移していくに従いブロックＡ−６内の避難所Ｂは浸水しているであろうことを、Ｄ地点にいる閲覧者が把握することができる。また、データ処理装置５０は、避難所Ｂは周囲の水位により危険であると判断して、避難所Ｂの表示態様を点滅あるいは点灯表示もしくは色調を変更して危険であることを示す表示態様とする。これにより、Ｄ地点にいる閲覧者が避難行動を起こす時には、浸水していないと判断される避難所Ａを避難する避難所として選択して避難行動を起こすことになる。
なお、水位を示すアイコンは、エリアＡ内に設置された子機２０であって、有意な水位を検出した子機２０が設置された地点の座標位置に、検出した水位を表すアイコンが表示されている。
【００３２】
次に、閲覧者が閲覧する本発明にかかるハザードマップのさらに他の例を図４、図５に示す。図４、図５に示すハザードマップで示されるエリアは、Ｄ地点に閲覧者が位置するエリアＡとされており、図４は浸水または冠水発生前の過去の時刻のハザードマップの表示態様であり、図５は浸水または冠水発生後の現在の時刻のハザードマップの表示態様である。なお、図４、図５において水位を示すアイコンは、図２（ａ）〜（ｄ）に示すアイコンと同様とされている。
図４に示すエリアＡの浸水または冠水発生前の過去の時刻のハザードマップでは、紙面の上方が北を示しており、時刻９：５９のハザードマップとされている。第１レイヤーの表示情報である地図においては、エリアＡはブロックＡ−１，Ａ−２，・・・，Ａ−９に分割されており、各ブロック間は道路とされている。また、データ処理装置５０は、エリアＡの座標情報からエリアＡ内にある避難所、アンダーパス、区域Ａの座標情報を避難情報ＤＢ５３から読み出して、それらの座標情報に応じた地点に避難所、アンダーパスＵ１を表すアイコンと、区域Ａを表す領域を第２レイヤーの表示情報として設定している。区域Ａは周囲と比較し海抜が低い区域を示している。図４に示す例ではブロックＡ−５に避難所Ａのアイコンが、ブロックＡ−６に避難所Ｂのアイコンが、ブロックＡ−２とブロックＡ−３との間の道路にアンダーパスのアイコンが、ブロックＡ−６と隣接するブロックＡ−５，Ａ−９の一部を含む区域Ａの領域が表示されている。また、データ処理装置５０は、避難所Ｂのある区域Ａが海抜が低いことから避難する際には避難所Ａに避難するのが好適と判断して、避難所Ａと閲覧者がいるＤ地点の座標情報から避難経路を算出し、算出した避難経路を第２レイヤーの表示情報として設定する。図４に示す例ではＤ地点からブロックＡ−２とブロックＡ−１との間の道路と、ブロックＡ−４とブロックＡ−５の間の道路とを通って避難所Ａに達する避難経路が実線で、Ｄ地点からブロックＡ−２とブロックＡ−３との間の道路と、ブロックＡ−２とブロックＡ−５との間の道路とを通って避難所Ａに達する避難経路が破線で表示されている。
【００３３】
図５に示すハザードマップは、時刻が１０：０３の現在の時刻のハザードマップとされている。時刻１０：０３ではエリアＡ内の地点に設置されている子機２０の複数が有意な水位を検出している。地点Ａの水位は２００ｍｍ以上４００ｍｍ未満となっており、水位が大きく上昇している。また、地点Ａの近傍のブロックＡ−６内およびその周辺の水位は１００ｍｍ以上２００ｍｍ未満あるいは２００ｍｍ以上４００ｍｍ未満と上昇している。データ処理装置５０は、避難所Ｂは周囲の水位により危険であると判断して、避難所Ｂの表示態様を、点滅あるいは点灯表示もしくは色調を変更して危険であることを示す表示態様とする。また、データ処理装置５０は、センサー座標ＤＢ５１およびセンサー情報ＤＢを参照して、エリアＡ内において冠水した道路があるか否か、および、アンダーパスＵ１が冠水したか否かを判断して、冠水した道路あるいはアンダーパスＵ１がある場合は、それを検出した子機２０が設置された道路もしくはアンダーパスＵ１の座標位置に冠水注意（道路）あるいは冠水注意（アンダーパス）を表すアイコンを第２レイヤーの表示情報として設定する。図５に示す例では、ブロックＡ−２とブロックＡ−５との間の道路、ブロックＡ−５とブロックＡ−８との間の道路、ブロックＡ−８とブロックＡ−９との間の道路に冠水注意（道路）のアイコンが表示され、アンダーパスＵ１に冠水注意（アンダーパス）のアイコンが表示されている。これにより、Ｄ地点にいる閲覧者が避難行動を起こす時には、避難所Ａを避難する避難所として選択すると共に、Ｄ地点からブロックＡ−２とブロックＡ−１との間の道路と、ブロックＡ−４とブロックＡ−５の間の冠水していない道路とを通って避難所Ａに達する実線で示す避難経路を選択して避難行動を起こすことになる。
なお、時間が推移していくに従いブロックＡ−６内の避難所Ｂは浸水しているであろうことを、Ｄ地点にいる閲覧者が把握することができる。また、データ処理装置５０は、避難所Ｂは周囲の水位により危険であると判断して、避難所Ｂの表示態様を点滅あるいは点灯表示もしくは色調を変更して危険であることを示す表示態様とする。これにより、Ｄ地点にいる閲覧者が避難行動を起こす時には、避難所Ａを避難する避難所として選択して避難行動を起こせるようになる。また、水位を示すアイコンは、エリアＡ内に設置された子機２０であって、有意な水位を検出した子機２０が設置された地点の座標位置に表示されている。
【００３４】
次に、子機２０において実行される子機処理のフローチャートを図１０に示す。子機２０が所定の地点に設置されて、電源装置２６がオンされると図１０に示す子機処理をマイクロコントローラ２１が開始する。子機処理は、実際には、マイクロコントローラ２１内のＣＰＵ４１が実行するのであるが、説明の都合上マイクロコントローラ２１が実行するものとして説明する。子機処理が開始されると、ステップＳ１０にてマイクロコントローラ２１は、位置測位装置２３が現在位置、すなわち、子機２０が設置された地点の座標である位置情報が、ＧＰＳ等の測位部から取得されたか否かを判断する。ここで、位置情報が取得されない場合（ＮＯ）は取得されるまで待機し、位置情報が取得されたとマイクロコントローラ２１が判断した場合（ＹＥＳ）はステップＳ１１に進む。ステップＳ１１でマイクロコントローラ２１は、取得された位置情報に当該子機２０に割り当てられているＩＤを付加して、当該子機２０が属する親機３０に閉域通信網を介して送信する。次いで、ステップＳ１２にてマイクロコントローラ２１は、センサー２２で検出されている水位と、その取得時刻を検出する。次いで、ステップＳ１３にてマイクロコントローラ２１は検出された水位が、予め定められた規定水位を超えたか否かを判断する。ここで、規定水位を超えたとマイクロコントローラ２１が判断した場合（ＹＥＳ）は、ステップＳ１４に進んでマイクロコントローラ２１は、警告表示器２４を点灯して警告表示を行う。次いで、ステップＳ１５にてマイクロコントローラ２１は、センサー２２から取得したセンサー情報とその取得時刻からなる水位情報を閉域通信網を介して属する親機３０に送信する。次いで、ステップＳ１６に進んでマイクロコントローラ２１は、例えば１分とされる短期間待機して、短期間の待機時間が終了するとステップＳ１２にリターンし、上記したステップＳ１２ないしステップＳ１６の処理を繰り返し行う。これにより、ステップＳ１３で規定水位を超えたとマイクロコントローラ２１が判断した状態が継続している限りにおいて、マイクロコントローラ２１は、短期間（例えば、１分）ごとにセンサー２２から取得したセンサー情報とその取得時刻からなる水位情報を親機３０に送信することになる。
【００３５】
また、ステップＳ１３で検出された水位が、規定水位を超えていないとマイクロコントローラ２１が判断した場合（ＮＯ）は、ステップＳ１７に分岐してマイクロコントローラ２１は、警告表示器２４の警告表示が点灯している場合は、その警告表示を消灯する。次いで、ステップＳ１８にてマイクロコントローラ２１は、前回の親機３０への送信から例えば１２時間の長期間の時間が経過したか否かを判断する。ここで、マイクロコントローラ２１が長期間の時間が経過したと判断した場合（ＹＥＳ）は、ステップＳ１９に進んでセンサー２２から取得したセンサー情報とその取得時刻からなる水位情報を親機３０に送信して、ステップＳ２０に進む。また、ステップＳ１８でマイクロコントローラ２１が長期間の時間が経過していないと判断した場合（ＮＯ）は、ステップＳ２０に分岐する。ステップＳ２０でマイクロコントローラ２１は、例えば１０分とされる中期間待機してステップＳ１２にリターンして、上記したステップＳ１２以降の処理を繰り返し行う。これにより、ステップＳ１３で規定水位を超えていないとマイクロコントローラ２１が判断した状態が継続している限りにおいて、マイクロコントローラ２１は、長期間（例えば、１２時間）ごとにセンサー２２から取得したセンサー情報とその取得時刻からなる水位情報を親機３０に送信し、中期間（例えば、１０分）毎にステップＳ１２以降の処理を繰り返し行うことになる。
なお、子機処理は子機２０の電源装置２６がオンされている限り実行されており、電源装置２６がオフされた際に子機処理は終了する。
【００３６】
次に、親機３０にて実行される親機処理のフローチャートを図１１に示す。親機３０が所定の場所に設置されて、電源装置３４がオンされると図１１に示す親機処理をマイクロコントローラ３１が開始する。親機処理は、実際には、マイクロコントローラ３１内のＣＰＵ４１が実行するのであるが、説明の都合上マイクロコントローラ３１が実行するものとして説明する。親機処理が開始されると、ステップＳ３０にてマイクロコントローラ３１は、当該親機３０に属している子機２０から送信されたデータを受信する。このデータは、ＩＤを付加した子機２０の位置情報、あるいは、子機２０が取得したセンサー情報とその取得時刻からなる水位情報である。次いで、ステップＳ３１にてマイクロコントローラ３１は、広域通信網１３を介して情報提供部１２に子機２０から送られたデータを送信する。親機３０から情報提供部１２への送信は、子機２０からのデータを受信する毎に行われる。親機処理は、電源装置３４がオフされた際に終了する。
【００３７】
情報提供部１２は、親機３０から送信されたＩＤを付加した子機２０の位置情報、あるいは、子機２０が取得したセンサー情報とその取得時刻からなる水位情報を、広域通信網通信Ｉ／Ｆ１２ｄを介して受信し、データ処理サーバー１２ｂがセンサー座標ＤＢ５１あるいはセンサー情報ＤＢ５２に格納する。データ処理サーバー１２ｂが実行するＤＢ書込処理のフローチャートを図１２に示す。
図１２に示すＤＢ書込処理は、データ処理サーバー１２ｂの電源が投入されたときに起動する。起動されるとステップＳ４０でＣＰＵ７１は、親機３０からデータを受信する。受信できない場合は、受信できるまで待機する。受信するデータは、ＩＤを付加した子機２０の位置情報、あるいは、子機２０が取得したセンサー情報とその取得時刻からなる水位情報である。次いで、ステップＳ４１でＣＰＵ７１は、受信したデータが、ＩＤを付加した子機２０の位置情報の場合は、Ｉ／Ｏ７４を介してセンサー座標ＤＢ５１にそのＩＤに関連つけて位置情報をき込み、子機２０が取得したセンサー情報の場合は、Ｉ／Ｏ７４を介して書センサー情報ＤＢ５２に取得時刻と水位情報を取得した子機２０のＩＤに関連して書き込む。ステップＳ４１の処理が終了するとステップＳ４０にリターンして、ステップＳ４０，Ｓ４１の処理が繰り返し実行される。ＤＢ書込処理は、データ処理サーバー１２ｂの電源がオフされた際に終了する。
【００３８】
次に、情報配信サーバー１２ａで実行されるメッセージ配信処理（１）のフローチャートを図１３に示す。図１３に示すメッセージ配信処理（１）は、情報配信サーバー１２ａの電源が投入された時に起動する。情報配信サーバー１２ａは、上記したように図９（ｂ）の構成とされている。
メッセージ配信処理が起動されるとステップＳ５０で、ＣＰＵ６１は前回配信した時から所定時間（例えば、１分）が経過したか否かを判断する。ここで、所定時間経過していないとＣＰＵ６１が判断した場合（ＮＯ）は所定時間経過するまでステップＳ５０で待機される。ステップＳ５０で所定時間経過したとＣＰＵ６１が判断した場合（ＹＥＳ）は、ステップＳ５１に進み警告メッセージあるいは警告解除メッセージをＣＰＵ６１が作成する。この場合、センサー情報ＤＢ５１から子機２０が検出した最新の時刻の水位情報を読み出して、浸水の危険が迫っているエリアがあるとＣＰＵ６１が判断した場合に警告メッセージが作成され、浸水の危険が去ったエリアがあるとＣＰＵ６１が判断した場合に警告解除メッセージが作成される。次いで、ステップＳ５２でＣＰＵ６１は、危険が迫っているエリアである警告領域が登録者情報ＤＢ５５に登録されている登録者を抽出する。そして、ステップＳ５３でＣＰＵ６１は、作成したメッセージは配信済みか否かを判断する。ここで、配信済みでないとＣＰＵ６１が判断した場合（ＮＯ）は、ステップＳ５４に分岐してステップＳ５２で抽出した登録者に作成したメッセージを配信する。また、配信済みとＣＰＵ６１が判断した場合（ＹＥＳ）と、ステップＳ５４の処理が終了した場合は、ステップＳ５０にリターンしてステップＳ５０ないしステップＳ５４の処理が繰り返し実行される。このように、所定時間、例えば１分毎に警告／警告解除メッセージが作成されて、その領域にいる登録者にメッセージが配信されることから、登録者は遅滞なく危険が迫っている／危険が去ったことを理解することができる。
【００３９】
次に、情報配信サーバー１２ａで実行される別のメッセージ配信処理（２）のフローチャートを図１４に示す。図１４に示すメッセージ配信処理（２）は、情報配信サーバー１２ａの電源が投入された時に起動する。情報配信サーバー１２ａは、上記したように図９（ｂ）の構成とされている。
メッセージ配信処理が起動されるとステップＳ６０でＣＰＵ６１は、センサー情報ＤＢ５１から子機２０が検出した同じ時刻とされる水位情報を読み出して、警告あるいは警告解除に相当する程度だけ、取得した子機２０のセンサー情報の水位が変化したか否かを判断する。ここで、水位が変化していないとＣＰＵ６１が判断した場合（ＮＯ）は、水位が変化するまでステップＳ６０で待機される。また、ステップＳ６０で水位が変化したとＣＰＵ６１が判断した場合（ＹＥＳ）はステップＳ６１に進み、警告メッセージあるいは警告解除メッセージをＣＰＵ６１が作成する。この場合、浸水の危険が迫っている程度の水位が変化したとＣＰＵ６１が判断した場合に警告メッセージが作成され、浸水の危険が去った程度の水位が変化したとＣＰＵ６１が判断した場合に警告解除メッセージが作成される。次いで、ステップＳ６２でＣＰＵ６１は、危険が迫っているエリアとされる警告領域内の携帯電話基地局を指定する。そして、ステップＳ６３でＣＰＵ６１は、作成したメッセージは配信済みか否かを判断する。ここで、配信済みでないとＣＰＵ６１が判断した場合（ＮＯ）は、ステップＳ６４に分岐してステップＳ６２で指定した携帯電話基地局から作成したメッセージを登録者情報ＤＢ５５に登録されている登録者に配信する。また、配信済みとＣＰＵ６１が判断した場合（ＹＥＳ）と、ステップＳ６４の処理が終了した場合は、ステップＳ６０にリターンしてステップＳ６０ないしステップＳ６４の処理が繰り返し実行される。このように、浸水の危険が迫っている程度の水位が変化した際に警告メッセージが作成されて、その領域にいる登録者に警告メッセージが配信されることから、登録者は遅滞なく危険が迫っていることを理解することができる。
【００４０】
次に、情報配信サーバー１２ａで実行される閲覧要求処理のフローチャートを図１５に示す。図１５に示す閲覧要求処理は、情報配信サーバー１２ａの電源が投入された時に起動する。情報配信サーバー１２ａは、上記したように図９（ｂ）の構成とされている。
閲覧要求処理が起動されるとステップＳ７０で、ＣＰＵ６１はハザードマップの閲覧要求があったか否かを判断する。ここで、閲覧要求がないとＣＰＵ６１が判断した場合（ＮＯ）は、閲覧要求があるまでステップＳ７０で待機される。閲覧者が自身の携帯電話１０ａあるいはＰＣ１０ｂから閲覧要求を行い、ステップＳ７０で閲覧要求があったとＣＰＵ６１が判断した場合（ＹＥＳ）は、ステップＳ７１に進みハザードマップをＣＰＵ６１が作成する。次いで、ステップＳ７２でＣＰＵ６１は、作成したハザードマップを閲覧要求した閲覧者に配信する。ステップＳ７２の処理が終了するとステップＳ７０にリターンして、ステップＳ７０ないしステップＳ７２の処理が繰り返し実行されることから、閲覧要求がある毎にハザードマップが作成されて、閲覧要求した閲覧者に配信されるようになる。閲覧要求処理は、情報配信サーバー１２ａの電源がオフされた際に終了する。
【００４１】
閲覧要求処理のステップＳ７１で実行されるハザードマップ作成処理のフローチャートを図１６に示す。図１６に示すハザードマップ作成処理は、情報配信サーバー１２ａのデータ処理装置５０で実行される。
閲覧要求処理のステップＳ７１の処理が開始されると、ハザードマップを作成処理が開始され、ステップＳ８０で、閲覧者のいる地点、あるいは、閲覧者が指定した地点の座標と閲覧要求の現在の時刻とをＣＰＵ７１が検出する。そして、ステップＳ８１でＣＰＵ７１は、検出した座標の地点を含む所定範囲のエリアを設定し、当該エリアの地図を地図情報ＤＢ５４から取得して該地図をハザードマップの第１レイヤーの表示情報として設定する。次いで、ステップＳ８２でＣＰＵ７１は、センサー情報ＤＢ５２から、設定したエリアの各子機２０の取得時刻が同時刻の水位情報を取得する。この場合、センサー情報ＤＢ５２から読み出される同時刻の水位情報は、閲覧要求された現在の時刻と、その時刻より過去の直近のいくつかの過去の時刻との水位情報とされ、読み出された水位情報は時刻毎にまとめられる。そして、ステップＳ８３でＣＰＵ７１は、センサー座標ＤＢ５１から、設定したエリアの各子機２０の座標を取得し、各子機２０の座標位置に、取得した時刻毎にまとめられた各子機２０の水位を表すアイコンを配置し、時刻毎の第２レイヤーの表示情報として設定する。この場合、例えば、現在の時刻が１０：０３の場合は、時刻が１０：００，１０：０１，１０：０２，１０：０３の時刻毎の第２レイヤーの表示情報が設定される。次いで、ステップＳ８４でＣＰＵ７１は、避難情報ＤＢ５３から、設定したエリアの避難所、アンダーパスの座標を取得し、各座標位置に避難所、アンダーパスのアイコンを配置し、第２レイヤーの表示情報として設定する。次に、ステップＳ８５でＣＰＵ７１は、取得した時刻毎にまとめられた各子機２０の水位に応じて冠水している領域を割り出し、該領域にある道路やアンダーパスに冠水注意のアイコンを配置して、時刻毎の第２レイヤーの表示情報として設定する。この場合、ＣＰＵ７１が、取得した各子機２０の水位に応じて浸水した領域を割り出し、割り出した浸水領域に避難所がある場合には、避難所のアイコンの表示態様を点滅あるいは点灯表示もしくは色調を変更する。さらに、ステップＳ８６でＣＰＵ７１は、第１レイヤーの表示情報に、第２レイヤーの表示情報および時刻毎の第２レイヤーの表示情報を重ねた画像データを時刻毎に分けて作成し、設定したエリアの時刻毎のハザードマップを作成する。ステップＳ８６の処理が終了すると、ハザードマップ作成処理は終了し、閲覧請求処理のステップＳ７２にリターンする。
【００４２】
なお、閲覧者が情報提供部１２にハザードマップの閲覧要求を行うのは、自身の携帯電話１０ａあるいはＰＣ１０ｂにおけるブラウザから行い、情報提供部１２の情報配信サーバー１２ａから配信されてきたハザードマップの画像データは、ブラウザで表示されるようになる。この場合、閲覧者に配信されるハザードマップは、閲覧要求された現在の時刻と、その時刻より過去の直近のいくつかの過去の時刻との図２（ａ）〜（ｄ）に示すような複数のハザードマップとされる。これにより、閲覧者は、図２（ａ）〜（ｄ）に示す時間の推移に伴う水位の変化を、画面をスクロールすることにより観察することができる。なお、現在の時刻と、その時刻より過去の直近のいくつかの過去の時刻との複数のハザードマップを動画に編集して配信することにより、閲覧者は過去の時刻から現在の時刻までのハザードマップの変化が、動画とされたハザードマップにより観察することができる。
【００４３】
次に、本発明の第２実施例のハザードマップシステム２について説明する。第２実施例のハザードマップシステム２により作成されて、閲覧者に配信されるハザードマップシステムの一例を図１８に示す。
第２実施例のハザードマップシステム２により作成されるハザードマップは、市町村や県などの行政区域を越えて、隣接する市町村などのハザードマップを閲覧者が閲覧できるようにされている。すなわち、図１８に示すように閲覧者はＱ市のブロックＱ−１におけるＺ地点におり、このＺ地点にいる閲覧者が第２実施例のハザードマップシステム２に閲覧要求を行うと、閲覧者の携帯電話１０ａあるいはＰＣ１０ｂに図１８に示すエリアＢのハザードマップが表示されるようになる。図１８に示すエリアＢは、市を行政区域の単位としており、閲覧者のいるＱ市と、Ｑ市に隣接するＰ市とＲ市の行政区域を越えた範囲とされている。また、図１８に示すエリアＢのハザードマップでは、Ｑ市とＰ市とＲ市とは市境で囲まれて表示されており、各市の市役所が、当該地点に◎のアイコンを表示することで示されている。エリアＢのハザードマップでは、現在時刻が１０：００の時刻のハザードマップとされている。時刻１０：００ではエリアＢ内の地点に設置されている子機２０の複数が有意な水位を検出している。検出された水位は、Ｑ市のブロックＱ−５，Ｑ−６とその周囲のブロックＱ−２，Ｑ−４，Ｑ−８，Ｑ−９において１００ｍｍ以上２００ｍｍ未満あるいは２００ｍｍ以上４００ｍｍ未満の水位となっており、Ｒ市のブロックＲ−４，Ｒ−５において１００ｍｍ以上２００ｍｍ未満あるいは２００ｍｍ以上４００ｍｍ未満の水位となっているが、Ｐ市においては５０ｍｍ以上の水位が検出されている地点はない。
【００４４】
また、エリアＢのハザードマップには、Ｑ市にはブロックＱ−９に避難所Ｑ−Ａが、ブロックＱ−２に避難所Ｑ−Ｂがあることが、当該地点に避難所のアイコンが表示されることで示され、時刻１０：００では避難所Ｑ−Ａが浸水して危険であることがアイコンの表示態様で示されており、避難所Ｑ−Ｂは浸水していないことがアイコンの表示態様で示されている。同様に、Ｒ市にはブロックＲ−４に避難所Ｒ−Ａが、ブロックＲ−５とブロックＲ−６との間に避難所Ｒ−Ｂがあることが、当該地点に避難所のアイコンが表示されることで示され、時刻１０：００では避難所Ｒ−Ａは冠水して危険であることがアイコンの表示態様で示されており、避難所Ｒ−Ｂは安全であることがアイコンの表示態様で示されている。Ｐ市にはブロックＰ−６に避難所Ｐ−Ａが、ブロックＰ−８に避難所Ｐ−Ｂがあることが、当該地点に避難所のアイコンが表示されることで示され、時刻１０：００では避難所Ｐ−Ａおよび避難所Ｐ−Ｂは安全であることが、避難所のアイコンの表示態様で示されている。さらに、エリアＢのハザードマップには、Ｑ市のブロックＡ−２とブロックＡ−３との間の地点と、Ｒ市のブロックＲ−２，Ｒ−３とＰ市のブロックＰ−２，Ｐ−３との境界にアンダーパスがあることが、当該地点にアンダーパスのアイコンが表示されることで示されている。さらにまた、Ｑ市のブロックｑ−３とブロックＡ−６との間の道路が冠水していることが、当該地点に冠水注意のアイコンが表示されることで示されている。さらにまた、Ｐ市のブロックＰ−５とＲ市のブロックＲ−５に過去に浸水した浸水実績箇所があることが、当該地点に浸水実績箇所のアイコンを表示することで示されている。
【００４５】
図１８に示すエリアＢのハザードマップを作成することができる第２実施例のハザードマップシステム２の構成は、情報提供部の構成を除いて同様とされている。そこで、第２実施例のハザードマップシステム２における情報提供部１２−２の構成を図１７に示す。図１７に示す情報提供部１２−２において、情報提供部１２と異なる構成について主に説明する。
データ処理サーバー１２ｂは、親機ａ１〜親機ｍ１から送られてきたデータが子機ＩＤ付きの位置情報であった場合は、その位置情報を子機ＩＤと関連付けてセンサー座標ＤＢ５１に書き込み、子機ＩＤ付きの水位情報（センサー情報＋時刻情報）の場合は、現在時刻と共に子機ＩＤ付きの水位情報（センサー情報＋時刻情報）を子機ＩＤと関連付けてセンサー情報ＤＢ５２に書き込む。これにより、親機ａ１〜親機ｍ１から送出された子機ａ２〜ａｉ、子機ｂ２〜ｂｊ、子機ｍ２〜ｍｋで検出された水位情報（センサー情報＋時刻情報）が、子機ＩＤと関連付けられてセンサー情報ＤＢ５２に時々刻々と書き込まれていくようになる。
【００４６】
避難情報ＤＢ５３は、変動情報ＤＢ５６、固定情報ＤＢ５７と警告情報ＤＢ５８とからなり、変動情報ＤＢ５６には、過去に浸水したことがある箇所である浸水実績箇所の範囲の座標などの変動情報が、例えば、Ｐ市ＤＢ５６ａ、Ｑ市ＤＢ５６ｂ、Ｒ市ＤＢ５６ｃ、・・・、Ｘ市ＤＢ５６ｘと各市毎の変動情報ＤＢに格納されている。また、固定情報ＤＢ５７には、避難所、アンダーパスなどの固定情報が、例えば、Ａ県ＤＢ５７ａ、Ｂ県ＤＢ５７ｂ、・・・、Ｙ県ＤＢ５７ｙと各県毎の固定情報ＤＢに格納されている。また、警告情報ＤＢには、子機２０が検出した水位が規定水位を超えていること、道路やアンダーパスの冠水注意などの警告情報が、例えば、Ｐ市ＤＢ５８ａ、Ｑ市ＤＢ５８ｂ、・・・、Ｚ市ＤＢ５８ｚと各市毎の警告情報ＤＢに格納されている。
【００４７】
閲覧者が情報提供部１２−２に閲覧要求を行った際に、閲覧者がいる地点あるいは閲覧者が指定した地点の座標と閲覧要求の時刻とが情報配信サーバー１２ａで検出される。そして、情報配信サーバー１２ａは、検出した座標に応じて閲覧者がいる地点あるいは閲覧者が指定した地点を含む所定範囲のエリアＢを設定する。例えば、閲覧者がＱ市のＺ地点にいる場合は、Ｑ市と、Ｑ市に隣接するＰ市およびＲ市とからなるエリアがエリアＢとして設定される。次いで、当該エリアＢの地図を地図情報ＤＢ５４から取得して該地図をハザードマップの第１レイヤーの表示情報として設定する。さらに、情報配信サーバー１２ａは、検出した閲覧要求の時刻より前の最も近い取得時刻のセンサー情報の水位をセンサー情報ＤＢ５２から取得すると共に、そのセンサー情報が取得された子機２０の地点の座標をセンサー座標ＤＢ５１から取得する。そして、情報配信サーバー１２ａは、ハザードマップの第２レイヤーに、取得した各子機２０の座標位置に取得した各子機２０の水位を表すアイコンを配置した表示情報を設定する。さらに、情報配信サーバー１２ａは、エリアＢの範囲内とされる避難所とアンダーパスの座標情報を固定情報ＤＢ５７から読み出し、読み出した座標位置に避難所とアンダーパスのアイコンの表示情報を設定する。さらにまた、情報配信サーバー１２ａは、ハザードマップの第２レイヤーに、取得した各子機２０の水位に応じて冠水した地点を演算して割り出し、割り出した地点に冠水注意のアイコンを配置した表示情報を設定する。さらにまた、情報配信サーバー１２ａは、エリアＢの範囲内とされる浸水実績箇所の範囲の座標情報を変動情報ＤＢ５６の各市毎の変動情報ＤＢから読み出し、エリアＢの範囲内とされる警告情報を警告情報ＤＢ５８の各市毎の警告情報ＤＢから読み出して、ハザードマップの第２レイヤーに、読み出した座標位置に対応するアイコンの表示情報を設定する。
【００４８】
そして、情報配信サーバー１２ａは、第１レイヤーのエリアＢの地図の表示情報に、第２レイヤーの表示情報を重ねた画像データを作成して、この画像データからなるハザードマップを閲覧要求した閲覧者に配信する。これにより、図１８に示すエリアＢのハザードマップが閲覧要求した閲覧者の携帯電話１０ａあるいはＰＣ１０ｂに表示されるようになる。
なお、閲覧者が情報配信サーバー１２ａにハザードマップの閲覧要求を行うのは、自身の携帯電話１０ａあるいはＰＣ１０ｂにおけるブラウザから行い、情報配信サーバー１２ａから配信されたハザードマップの画像データは、ブラウザで表示されるようになる。この場合、閲覧者に配信されるハザードマップは、閲覧要求された現在の時刻と、その時刻より過去の直近のいくつかの過去の時刻との複数のハザードマップとされる。これにより、閲覧者は、過去から現在までの時間の推移に伴う水位の変化を、画面をスクロールすることにより観察することができる。なお、情報配信サーバー１２ａにおいて、現在の時刻と、その時刻より過去の直近のいくつかの過去の時刻との複数のハザードマップを動画に編集して配信することにより、閲覧者は過去の時刻から現在の時刻までのハザードマップの変化が、動画とされたハザードマップにより観察することができる。
【産業上の利用可能性】
【００４９】
本発明の実施例にかかるハザードマップシステムにおいて、子機と、子機からの水位情報を受信する親機との構成は、水位情報送出装置と云うことができる。また、情報配信部は情報配信サーバーと、データ処理部はデータ処理サーバーとすることができると共に、各種データベースは記憶部と云うことができる。さらに、閲覧要求された地点とは閲覧者がいる地点あるいは閲覧者が指定した地点とされる。
以上説明したハザードマップシステムでは、閲覧要求があった際にハザードマップを作成して、閲覧要求した閲覧者に配信していたが、子機が検出した水位情報を情報提供部が取得した際に、ハザードマップの第２レイヤー用の表示情報を作成して避難情報ＤＢに格納し、閲覧者からの閲覧要求があった際に、情報配信サーバーが閲覧者がいる位置情報あるいは閲覧者が指定した位置情報に対応するエリアの地図を地図情報ＤＢから読み出して第１レイヤーに表示情報として設定すると共に、避難情報ＤＢから閲覧者がいる位置情報あるいは閲覧者が指定した位置情報に対応するエリアの第２レイヤーの表示情報を読み出して第２レイヤーの表示情報として設定したハザードマップを作成して閲覧者に配信するようにしても良い。
なお、避難情報ＤＢには、想定最大規模の水害に係る浸水想定区域と浸水深〔洪水、内水、高潮〕、津波災害警戒区域と津波基準水位〔津波〕、土砂災害警戒区域、早期の立退き避難が必要な区域、避難施設その他の避難場所及び避難路その他の避難経路に関する事項、地下街等（建設予定又は建設中を含む）、要配慮者利用施設、大規模工場等〔洪水、内水、高潮〕、水位観測所等の位置（映像が提供されるＣＣＴＶ等を含む）〔洪水、内水、高潮〕、浸水継続時間が長い区域〔洪水、内水、高潮〕、海岸線への津波到達時間〔津波〕 、浸水到達時間、地盤高（標高）、排水ポンプ場、防災関係機関（役場、警察、消防、病院）、防災備蓄倉庫、ＡＥＤ設置場所の位置情報などの各種情報を記憶させておいて、ハザードマップを作成する際に必要と判断した情報を読み出して、ハザードマップ上に情報に応じた表示を行うようにしてもよい。
また、以上説明したハザードマップシステムにおいて、ハザードマップは、第１レイヤーの表示情報として設定される所定のエリアの地図情報と、第２レイヤーの表示情報として設定される水位、避難所等のアイコンなどの表示情報とから構成されるが、エリアが設定されると地図は固定となることから、第１レイヤーの地図情報は一度だけ配信し、第２レイヤーの過去から現在の時刻までの時刻毎の表示情報を配信するようにしても良い。この場合、閲覧者側では、配信された地図に時刻毎の第２レイヤーの表示情報を重ねた、複数のハザードマップが表示されるようになる。
また、以上説明したハザードマップシステムの子機においては、ＧＰＳに限らず、設置された位置の座標を位置測位装置が、ＧＬＯＮＡＳＳ、Ｇａｌｉｌｅｏ、準天頂衛星（ＱＺＳＳ）等の衛星測位システムを使用して測位するようにしてもよい。
【符号の説明】
【００５０】
１，２  ハザードマップシステム、１０  端末群、１０ａ  携帯電話、１０ｂ  ＰＣ、１２  情報提供部、１２ａ  情報配信サーバー、１２ｂ  データ処理サーバー、１２ｃ  データベース部、１３  広域通信網、１４ａ〜１４ｍ  閉域通信網、２０  子機、２１  マイクロコントローラ、２２  センサー、２３  位置測位装置、２４  警告表示器、２５  閉域通信網通信Ｉ／Ｆ、２６  電源装置、３０  親機、３１  マイクロコントローラ、３２  広域通信網通信Ｉ／Ｆ、３３  閉域通信網通信Ｉ／Ｆ、３４  電源装置、４５  バス、５０  データ処理装置、５１  センサー座標ＤＢ、５２  センサー情報ＤＢ、５３  避難情報ＤＢ、５４  地図情報ＤＢ、５５  登録者情報ＤＢ、５６  変動情報ＤＢ、５６ａ  Ｐ市ＤＢ、５６ｂ  Ｑ市ＤＢ、５６ｃ  Ｒ市ＤＢ、５６ｘ  Ｘ市ＤＢ、５７ａ  Ａ県ＤＢ、５７ｂ  Ｂ県ＤＢ、５７ｙ  Ｙ県ＤＢ、５８ａ  Ｐ市ＤＢ、５８ｂ  Ｑ市ＤＢ、５８ｚ  Ｚ市ＤＢ、６１  ＣＰＵ、６２  ＲＯＭ、６３  ＲＡＭ、６４  Ｉ／Ｏ、６５  バス、７１  ＣＰＵ、７２  ＲＯＭ、７３  ＲＡＭ、７４  Ｉ／Ｏ、７５  バス、１００  ハザードマップ、１０１  冠水発生エリア、１０２  避難所、１０３  避難所、ａ１〜ｍ１  親機、ａ２〜ａｉ  子機、ｂ２〜ｂｉ  子機、ｍ２〜ｍｋ  子機
【図１】
2018049338.tif 000003
【図２】
2018049338.tif 000004
【図３】
2018049338.tif 000005
【図４】
2018049338.tif 000006
【図５】
2018049338.tif 000007
【図６】
2018049338.tif 000008
【図７】
2018049338.tif 000009
【図８】
2018049338.tif 000010
【図９】
2018049338.tif 000011
【図１０】
2018049338.tif 000012
【図１１】
2018049338.tif 000013
【図１２】
2018049338.tif 000014
【図１３】
2018049338.tif 000015
【図１４】
2018049338.tif 000016
【図１５】
2018049338.tif 000017
【図１６】
2018049338.tif 000018
【図１７】
2018049338.tif 000019
【図１８】
2018049338.tif 000020
【図１９】
2018049338.tif 000021
【図２０】
2018049338.tif 000022